(57)【要約】【課題】テレビレンズの保護シートを、テレビレンズの内部に収納可能とし、テレビレンズと保護シートを一体に運搬することを可能にしたテレビレンズを提供すること。【解決手段】レンズ鏡筒と前記レンズ鏡筒を覆い、略矩形状の断面を有するレンズカバーと、前記レンズカバーの外部に配置される保護部材を有するテレビレンズにおいて、前記保護部材は、前記テレビレンズの内部に収納可能であることを特徴とする。【選択図】図３
2017097133.tif 000002
【特許請求の範囲】
【請求項１】
レンズ鏡筒と
前記レンズ鏡筒を覆い、矩形状の断面を有するレンズカバーと、
前記レンズカバーの外部に配置される保護部材を有する
テレビレンズにおいて、
前記保護部材は、前記テレビレンズの内部に収納可能であることを特徴とするテレビレンズ。
【請求項２】
前記保護部材は、前記保護部材を使用する状態において、前記レンズカバーとの間に間隙を設けて配置されることを特徴とする請求項１に記載のテレビレンズ。
【請求項３】
前記レンズカバーと、前記保護部材との間の間隙は、前記テレビレンズに設けられたガイド部材によって形成されることを特徴とする請求項２に記載のテレビレンズ。
【請求項４】
前記ガイド部材は、稼動式になっていて、前記レンズカバーの矩形状の断面の内部に収納される第１の配置位置と、前期レンズカバーの矩形状の断面の外部に突出する第２の配置位置との間を稼動することを特徴とする請求項３に記載のテレビレンズ。
【請求項５】
前記レンズカバーと、前記保護シートとの間の間隙は、前記保護部材に設けられた離間部材によって形成されることを特徴とする請求項２に記載のテレビレンズ。
【請求項６】
前記保護部材はシート状の形状をしており、前記テレビレンズ内部に軸部材を設け、前記保護部材の前記テレビレンズ内部への収納は、前記軸部材に前記保護部材を巻き取ることで行われることを特徴とする請求項１乃至請求項５の何れか一項に記載のテレビレンズ。
【請求項７】
前記保護部材は、前記テレビレンズより着脱可能であることを特徴とする請求項１乃至請求項６の何れか一項に記載のテレビレンズ。
【発明の詳細な説明】
【技術分野】
【０００１】
本発明は、テレビレンズに関し、特に略矩形状のレンズカバーを有する箱型テレビレンズに関する。
【背景技術】
【０００２】
従来、テレビレンズにおいては、レンズ鏡筒の保護を目的として、略矩形上のレンズカバーを設けているものがある（特許文献１参照）。また、さらにこのレンズカバーに加えて、温度環境に対するテレビレンズの保全手段、あるいは雨天時の防水手段として、この略矩形状のレンズカバーの外側に、更に保護部材を設ける方法が提示されている。
【０００３】
特許文献２には、断熱材で形成されてテレビレンズを前方から収納できるように有底筒状の袋に形成されると共に、前記袋にヒータを内蔵したことを特徴とするテレビレンズ用保温カバーが開示されている。
【先行技術文献】
【特許文献】
【０００４】
【特許文献１】特開平６−９８２１５号公報
【特許文献２】特開平７−２８１２９１号公報
【発明の概要】
【発明が解決しようとする課題】
【０００５】
しかしながら、上述の特許文献２に開示された従来技術では、テレビレンズとは別に専用の保護カバーを用意しており、常に使用場所までテレビレンズと共に保護カバーも移送しなければ、必要となった場合に対応できない。
【０００６】
しかし、テレビレンズは、一般に他の撮像装置と比較しても大型であるため、保護カバーも大型になってしまう。このため、保護カバーを常に携帯することは使用者にとっては煩雑である。
【０００７】
そこで、本発明の目的は、テレビレンズの保護部材を、テレビレンズの内部に収納可能とし、テレビレンズ本体と保護部材を一体に運搬することを可能にしたテレビレンズを提供することにある。
【課題を解決するための手段】
【０００８】
上記の目的を達成するために、本発明に係るテレビレンズは、
レンズ鏡筒と、前記レンズ鏡筒を覆い、略矩形状の断面を有するレンズカバーと、前記レンズカバーの外部に配置される保護部材を有するテレビレンズにおいて、前記保護部材は、前記テレビレンズの内部に収納可能であることを特徴とする。
【発明の効果】
【０００９】
本発明によれば、テレビレンズの保護部材を、テレビレンズの内部に収納可能とし、テレビレンズ本体と保護部材を一体に運搬することを可能にしたテレビレンズを提供することができる。
【図面の簡単な説明】
【００１０】
【図１】実施例１において、保護シートの収納状態を示す図であり、（ａ）がレンズ中央部において光軸と垂直な平面で切断した状態を示す断面図、（ｂ）が斜視図である。
【図２】実施例１において、ガイドバーを保護シート使用位置まで移動した状態を示す図であり、（ａ）がレンズ中央部において光軸と垂直な平面で切断した状態を示す断面図、（ｂ）が斜視図である。
【図３】実施例１において、保護シートの使用状態を示す図であり、（ａ）がレンズ中央部において光軸と垂直な平面で切断した状態を示す断面図、（ｂ）が斜視図である。
【図４】実施例２において、レンズカバーをレンズ本体から外した状態を示す図であり、（ａ）がレンズ本体部の斜視図であり、（ｂ）がレンズカバーの斜視図である。
【図５】実施例２において、保護シートをテレビレンズの周辺に巻き付けた状態を示す斜視図である。
【図６】実施例２において、ガイドバーより延伸部材をレンズの前後に稼動した状態を示す斜視図である。
【図７】実施例２において、折りたたまれていた保護シートを広げる様子を示す斜視図である。
【図８】実施例２において、折りたたまれていた保護シートを全て拡げて、保護シートを使用状態とした様子を示す斜視図である。
【図９】実施例３において、保護シートの芯棒の両端部の構造を示す断面図である。
【図１０】実施例３において、保護シートユニットの交換の様子を示す図である。
【図１１】実施例４において、保護シートを収納部より引き延ばした状態を示す斜視図である。
【図１２】実施例４において、保護シートをレンズ周辺に巻き付けた状態を示す図であり、（ａ）がレンズ中央部において光軸と垂直な平面で切断した状態を示す断面図、（ｂ）が斜視図である。
【発明を実施するための形態】
【００１１】
以下に、本発明の好ましい実施の形態を、添付の図面に基づいて詳細に説明する。
【００１２】
［実施例１］
以下、図１から図３を参照して、本発明の第１の実施例による、保護シートをレンズ内部へ収納することを可能にしたテレビレンズについて説明する。
【００１３】
テレビレンズ１は、カメラと接続を行うマウント部２、不図示の光学部材を保持するレンズ群等を有する略円筒状のレンズ鏡筒３、及び撮影状態に応じ一部のレンズ群を駆動する駆動部４、などから成り立っている。
【００１４】
レンズ鏡筒３の外側には、レンズ鏡筒３や、その他のテレビレンズ１の構成要素を保護する目的で、略矩形状のレンズカバー１１が構成されている。レンズカバー１１の撮影時に物体側となる側（以下、こちら側をテレビレンズ１の前玉側、カメラが接続される側をカメラ側と称する）の両側面には、撮影中であることを示すタリー表示部５が構成されている。また、テレビレンズ１のカメラ側の側面には、撮影時の焦点距離や絞り等の状態を示す表示部として、インジケーター６が設けられている。
【００１５】
テレビレンズ１を光軸に対して垂直な平面で切断した際には、その断面は略矩形状となる。以下の記述において、この略矩形状の断面のことを、レンズ光軸断面と称する。
【００１６】
レンズ光軸断面の四隅に相当する場所には、後述する保護シート１２を使用する際のガイドとなるガイドバー１３ａ、１３ｂ、１３ｃ、１３ｄが設けられている。このガイドバー１３ａ、１３ｂ、１３ｃ、１３ｄについての詳細は後述とする。
【００１７】
以下、保護シート１２を収納状態から使用するまでの流れを図１より図３までを用いて順に説明する。
【００１８】
図１は保護シートがテレビレンズ１の内部に収納されている状態を示す図である。この状態において、レンズ光軸断面の略矩形状と、レンズ鏡筒３の略円筒形状との隙間となる、テレビレンズ１を前玉側からみて右側面下部に、保護シート１２が内蔵されている。
【００１９】
保護シート１２の中央部には、芯棒１４が配置されている。この芯棒１４は不図示の渦巻きバネによって常に前玉側からみて反時計周り方向（図１中の矢印１５の方向）に付勢がされている。
【００２０】
保護シート１２は、根元部分がこの芯棒１４に接続されていて、収納時にはこの芯棒１４に保護シート１２が巻き取られる形で収納される。保護シート１２の先端にはフック８が設けられていて、このフック８が同じ隅部にあるガイドバー１３ａに引っかかることで、保護シート１２に加わる付勢力によって保護シート１２が回転することを止めている。
【００２１】
保護シート１２を使用する際には、まず、ガイドバー１３ａ、１３ｂ、１３ｃ、１３ｄを収納位置から使用位置まで可動する。これについて詳細に説明する。
【００２２】
各ガイドバー１３ａ、１３ｂ、１３ｃ、１３ｄの両端部には、それぞれ中継部材９ａ、９ｂ、９ｃ、９ｄが配置されている。テレビレンズ１を前玉側から見て右下隅部においては、ガイドバー１３ａは、中継部材９ａを介して、後述する芯棒１４に回転可能に連結される。また、その他の位置のガイドバー１３ｂ、１３ｃ、１３ｄは、それぞれ中継部材９ｂ、９ｃ、９ｄを介して、固定軸１０ｂ、１０ｃ、１０ｄに回転可能に連結される。
【００２３】
各ガイドバー１３ａ、１３ｂ、１３ｃ、１３ｄは、保護シート１２を不使用の際には、レンズ光軸断面の内側に収納される位置（以下、収納位置と称する）に配置された状態で、不図示のロック手段によって保持されている。これを、保護シート１２使用時には、レンズ光軸断面より外側の位置（以下、使用位置と称する）配置されるように稼動される。稼動方法は、ガイドバー１３ａ、１３ｂ、１３ｃ、１３ｄを中継部材９ａ、９ｂ、９ｃ、９ｄと同時に、芯棒１４、あるいは各固定軸１０ｂ、１０ｃ、１０ｄ周りに回転させる方法である。各ガイドバー１３ａ、１３ｂ、１３ｃ、１３ｄは、使用位置に配置された状態で、不図示のロック手段によって保持される。このガイドバー１３ａ、１３ｂ、１３ｃ、１３ｄを使用位置まで稼動した状態を示すのが図２である。ガイドバー１３ａ、１３ｂ、１３ｃ、１３ｄが使用位置に配置された際、上側の２つのガイドバー１３ｂ、１３ｃは、上下方向（図２の座標系７におけるＹ方向）において、それぞれの高さ（図２におけるＨｂとＨｃ部寸法）が異なるように配置されている。
【００２４】
次に、前述のフック８をガイドバー１３ａより外して、保護シート１２を引っ張り出し、各隅部に配設されたガイドバー１３ａ、１３ｂ、１３ｃに前玉から見て右下から反時計周りに順番に巻きつけるようにしていく。最後に保護シート１２の先端にあるフック８を、テレビレンズ１を前玉からみて左下にあるガイドバー１３ｄにひっかける。保護シート１２には、不図示の渦巻きバネによって発生する芯棒１４に対する巻き取り方向の付勢力が働くため、保護シート１２は張られた状態で維持されるようになる。この状態を示しているのが図３であり、この状態が保護シートの使用状態である。
【００２５】
保護シート１２をテレビレンズ１の内部に収納する際には、まず、先端のフック８をガイドバー１３ｄより外す。すると、芯棒１４に働く付勢力によって保護シート１２が芯棒１４に巻き取られる。その後、フック８を、芯棒１４に近接するガイドバー１３ａに引っかけることで、巻き取りは停止される。最後に、各ガイドバー１３ａ、１３ｂ、１３ｃ、１３ｄを使用位置から収納位置に稼動することで、収納は完了となる。
【００２６】
本実施例において、テレビレンズ１の矩形状断面から飛び出す位置（使用位置）にガイドバー１３ａ、１３ｂ、１３ｃ、１３ｄを配置し、かつ、そのガイドバー１３ａ、１３ｂ、１３ｃ、１３ｄに保護シート１２を巻きつける形態を提示した。この方法によって、保護シート１２を使用する際に、保護シート１２とレンズカバー１１との間に間隙を設けることが出来る。この間隙は、断熱層としての効果を果たし、例えば直射日光を受ける環境において、保護シート１２を日よけとして用いる場合には、レンズカバー１１内部の温度が上昇することを和らげる効果がある。
【００２７】
また、本実施例においては、ガイドバー１３ａ、１３ｂ、１３ｃ、１３ｄを芯棒１４又は固定軸１０ｂ、１０ｃ、１０ｄ周りに回転することで、収納位置と使用位置とで稼動する方式とした。これは、ガイド部材によって外形が変わったり、レンズカバーが大型化したりすることによって、テレビレンズを収納や運搬する際に妨げとなることを防止するためである。
【００２８】
また、上部の２つのガイドバー１３ｂ、１３ｃの使用位置におけるレンズ上面からの高さを不均一としたことで、保護シート１２はその使用状態において、テレビレンズ１の上部において傾斜した形で配置される。これによって、例えば雨天時において、防水用として保護シート１２を用いる際に、保護シート１２のテレビレンズ１上部に張られた部分に、雨水が溜まることを避けることが出来る。
【００２９】
なお本実施例においては、保護シート１２を１つの芯棒１４で巻き取る形にし、テレビレンズ１の左右及び上部を一つの保護シート１２で覆う形で配置している。これを例えば、２ヶ所に配置した保護シートを組み合わせてレンズ周辺を覆うようにするなど、複数の保護シートを使用する形も良い。さらに、複数の保護シートを用いる方法として、レンズ光軸断面の右下隅部には日よけ用の保護シートを、左下隅部には雨よけ用の保護シートを、といったように、異なる機能の保護シートを複数配置し、環境によって使い分けることも可能である。
【００３０】
また、本実施例においては、側面より光軸方向（図３の座標系７でいうＸ軸方向）周りに保護シート１２を覆う構成にしている。これを、例えばテレビレンズのカメラ側から前玉側に向けて保護シートを張る構造にする、といったように、保護シートの引き出し方向の変更することが可能である。
【００３１】
また、本実施例においては、保護シート１２の先端部にフック８を設けて、このフック８をガイドバー１３ｄにかけることで保護シート１２を固定していた。しかし、保護シートの固定手段としては、例えば保護シートの先端に面ファスナーを用いる、あるいは先端部に固定用のボタンを設けるなど、他の方法であっても構わない。
【００３２】
さらに、本実施例において、保護シート１２の収納に関しては、芯棒１４に巻きつける形での収納としたが、これはレンズ本体に設けた収納部に、保護シートを折りたたんで収納する等の別の方法でも可能である。また、保護シートを使用状態にする方法としては、予め隣接するガイドバー同士の間を保護シートで連結するようにして、保護シートとガイドバーを収納しておく方法がある。この様にすることで、ガイドバーを収納位置から使用位置に稼動するだけで、ガイドバー同士の間を連結していた保護シートが、テレビレンズ本体の周辺に張られるようになり、保護シートを容易に使用状態にすることができるようになる。
【００３３】
また本実施例において、保護シート使用時のガイド部材として、棒状のガイドバーを用いる方法を提示したが、ガイド部材は、保護シートをレンズカバーより間隙を設けて配置することができれば、どのような形状であっても構わない。
【００３４】
さらに、本実施例においては、ガイドバーの収納位置と使用位置の稼動方法として、軸周りに回転させて稼動させる方法を提示したが、これは例えばガイド部材がレンズカバーに対して引き出されるような構造にするなど、他の方法であっても構わない。さらに言えば、ガイド部材を予めレンズカバーより突出する形で設けておくことも、テレビレンズの収納や運搬等の問題が無ければ可能である。
【００３５】
［実施例２］
以下、図４から図８を参照して、本発明の第２の実施例による、保護シートをレンズ内部へ収納することを可能にしたテレビレンズについて説明する。なお、以降の実施例の説明において、実施例１と同等の部分については説明を省き、図中においては同じ符号とする。
【００３６】
本実施例の特徴の１つとしては、保護シート２２をレンズカバー２１に収納するようにしたことである。
【００３７】
図４に示すように、略矩形状のレンズカバー２１は、レンズ本体部２４から取り外し可能となっている。レンズカバー２１を取り付ける際には、レンズ本体２４の前玉側より、レンズカバー２１を被せるように嵌め込み、不図示のネジ等の固定手段によってレンズ本体２４に固定する。
【００３８】
保護シート２２を収納する際の芯棒１４も、レンズカバー２１の内部に配置されている。このため、収納時の保護シート２２の光軸方向（図４の座標系７におけるＸ軸の方向）の幅は、レンズカバー２１の光軸方向の長さより短くなっている。この芯棒１４も、実施例１の時と同様に、不図示の渦巻きバネによって、軸周りに回転するように付勢されている。
【００３９】
また、保護シート２２を使用する際のガイドバー１３ａ、１３ｂ、１３ｃ、１３ｄもまた、レンズカバー２１に配置されている。このガイドバー１３ａ、１３ｂ、１３ｃ、１３ｄも、実施例１の際と同様に、収納位置と使用位置との間を稼動することができるようになっている。
【００４０】
次に、保護シート２２の使用の手順について、図５から図８までを用いて順に説明する。
【００４１】
図５から図８は保護シート２２を収納状態から使用状態まで移行させる過程を示す本実施例のテレビレンズを示す図である。
【００４２】
保護シート２２の使用する際には、まず実施例１と同様に、収納位置に配置されているガイドバー１３ａ、１３ｂ、１３ｃ、１３ｄを、使用位置に配置されるように移動させる。次に、保護シート２２を引き出して、レンズカバー２１を覆うように、使用位置に配置したガイドバー１３ａ、１３ｂ、１３ｃを介して巻き付けていく。最後に芯棒１４とは反対側の下側隅のガイドバー１３ｄに保護シート２２の先端に設けられているフック８をひっかけることで、保護シート２２を張った状態で固定する。ここまでが実施例１と同様であり、この状態まで移行した状態を示したのが図５である。
【００４３】
それぞれのガイドバー１３ａ、１３ｂ、１３ｃ、１３ｄは管状の形状をしている。そのガイドバー１３ａ、１３ｂ、１３ｃ、１３ｄの内径部には、前玉側に稼動できる延伸部材２５ａ、２５ｂ、カメラ側に稼動できる延伸部材２５ｃ、２５ｄが内蔵されている。この延伸部材２５ａ、２５ｂ、２５ｃ、２５ｄをそれぞれ、前玉側、後玉側にガイドバー１３ａ、１３ｂ、１３ｃ、１３ｄから引き出して固定する。図６はこの状態を示した図である。
【００４４】
保護シート２２は、収納時の巻き付け位置よりも前玉側を保護する部分２２ａ、後玉側を保護する部分２２ｂが、それぞれ折りたたまれている形で収納されている。前述の保護シート２２をガイドバー１３ａ、１３ｂ、１３ｃに巻き付けた状態で、この保護シート２２の折り畳まれた部分２２ａ、２２ｂをそれぞれ広げ、上部、側面部を覆う形にしていく。そうして、折り畳まれていた部分２２ａ、２２ｂを前後それぞれ伸ばした上側の延伸部材２５ａ、２５ｃにかける。その後、折り畳まれた部分２２ａ、２２ｂの下部に設けた固定部２６を、前後それぞれに伸ばした下側の延伸部材２５ｂ、２５ｄに固定する。この保護シート２２を広げている過程の状態を示すのが図７であり、全て広げ、固定した使用状態を示すのが図８である。
【００４５】
保護シート２２は、使用状態まで広げた際に、レンズカバー２１の側面に設けたタリー表示部５、テレビレンズ１のカメラ側の側面に設けたインジケーター部６に相当する位置に覗き窓２３ａ、２３ｂを有している。これによって、保護シート２２を使用している状態においても、各表示部の表示状態が確認できる。
【００４６】
本実施例のように、保護シート２２を折り畳む形でレンズ内部へ収納することで、保護シート２２を収納する際の幅を超えて、保護シート２２を使用することが可能となる。
【００４７】
また、本実施例のように、保護シート２２をレンズカバー２１に収納可能とすることで、保護シートを内蔵していないレンズであっても、レンズカバーを交換することで保護シートを搭載とすることが容易に可能である。
【００４８】
また、前述した通り、本実施例のように保護シートの前後部分を折りたたんで収納する方法は、保護シートの収納時の幅を超えて保護することが可能になる。このため、例えば、前側部分の保護シートを、レンズ本体部分をさらに前側に超えて設けることで、サンシェードとしての効果を持たせることが可能になる。またあるいは、後側に保護シートをさらに伸ばして使用することで、テレビレンズに接続するテレビカメラまで覆い、保護の対象とすることが可能になる。
【００４９】
なお、本実施例では、ガイドバーの収納位置の前後の位置までガイド部材を設ける方法として、ガイドバー内部に延伸部材を設け、これをガイドバーの前後に引き出す構成としている。これは例えば、ガイドバーの前後のガイド部材を折り畳み式に構成する、あるいは、ガイドバー自体を分割させて、分割後のそれぞれを前後に移動することで広範囲をカバーするなど、前後部分まで保護シートを掛けることができるのであればどのような構成でも構わない。
【００５０】
また、この保護シートを折りたたんだ状態で巻き取る収納方法を、より容易に行えるようにするために、折りたたみ部分に面ファスナーやボタン等を設け、保護シートの折りたたみ状態を維持した状態で、収納が可能になるようにしても良い。
【００５１】
また、この収納時の折りたたみ部分と、それ以外の部分に、使用時に隙間が出来ないように、この２つのオーバーラップする部分に面ファスナー等の固定手段を設けるようにしても良い。
【００５２】
さらに、本実施例において、レンズに配置された表示部を確認するために、保護シートにのぞき窓を設置している。これに対して、のぞき窓部分の開口による保護性能の劣化を抑制するために、のぞき窓の開口部分に透明のシート部材を張り付けることで、表示部の視認性を確保しつつ開口を無くすようにしても良い。
【００５３】
［実施例３］
以下、図９及び図１０を参照して、本発明の第３の実施例による、保護シートを、レンズ内部へ収納することを可能にしたテレビレンズについて説明する。
【００５４】
本実施例の特徴の１つとしては、保護シートをテレビレンズより着脱可能な構造としていることである。
【００５５】
図９は本実施例における、保護シート３２及び芯棒３１の両端付近の構造を示す図であり、芯棒３１の軸方向の中央部分を省略し、芯棒３１の中心軸に沿って切断した状態を示す断面図である。
【００５６】
本実施例において、保護シート３２の収納時に、保護シート３２を巻きつける芯棒３１の片側の先端には、入口がＶ字形状となっている溝３３が付いている。また、この溝３３が付いている先端とは反対側の先端は、コマ３４が設けられている。このコマ３４は、芯棒３１の内部に設けられたコイルばね３５によって、芯棒３１の軸に沿って外側に向かう方向に付勢されている。この付勢力によってコマ３４が芯棒３１から外れないようにするため、コマ３４には抜け止め用のピン３６が、また、芯棒３１にはこのピン３６に対応するピン溝３８が設けられている。
【００５７】
これによって、コマ３４を芯棒３１の内側に押し込むと、芯棒３１の内部にコマ３４の一部が入り込み、放すと内部のコイルばね３５によって外側に再び飛び出てくるようになっている。
【００５８】
レンズ本体（あるいはレンズカバー）の保護シート収納部には、前述の芯棒３１に設けられたコマ３４の方向には、この部分を嵌める嵌合部４２が、前述の芯棒３１に設けられた溝３３に対応する方向には、連結軸３９が設けられている。連結軸３９には、芯棒３１の溝３３に対応する連結突起４０を有し、この連結突起４０が溝３３に嵌り込む。これによって、連結軸３９の回転は芯棒３１に伝達され、芯棒３１と連結軸３９は一体となって回転するようになっている。
【００５９】
また、連結軸３９には渦巻きバネ４１が接続されており、これによって連結軸３９は回転方向に付勢され、連結される芯棒３１にも回転方向への付勢力が伝達されることになる。
【００６０】
保護シート３２をテレビレンズ１から取り外す際には、まず保護シート３２を芯棒３１ごとコマ３４がある方向に動かす。これによって、コマ３４の一部が芯棒３１の中に埋まり、反対側にある芯棒の溝３３が連結軸３９の連結突起４０から外れる。ここから保護シート３２を傾けて、コマ３４がある側も嵌合部４２から外すことによって、保護シート３２は、芯棒３１ごと取り外すことができる。
【００６１】
また、上記手順と逆の手順を踏むことで、保護シート３２をテレビレンズ１に装着することが可能である。このように、保護シートを着脱可能に設けると、レンズ使用時の環境に応じて保護シートを交換できるようになる。これは例えば、雨天が想定される環境で使用される場合は、防水機能を有する保護シートを使用し、日差しの厳しい環境での使用が想定される場合では、風通しのよいメッシュ素材の日よけ用保護シートを使用する、といったことが可能となる。
【００６２】
また、保護シートを交換可能にすることで、保護シートを単にレンズを保護する目的だけではなく、保護シートを表示媒体として使用することが容易に可能になる。この方法について、図１０を用いて示す。
【００６３】
ここでは、前述の着脱に関連する機構部を含む芯棒部分と、保護シートとからなる構成部分を保護シートユニットと称する。保護シートを表示媒体として使用する際には、まず、予めテレビレンズ１に搭載されている保護シートユニット４３ａとは別の、保護シートユニット４３ｂを用意する。それぞれの保護シートユニット４３ａ、４３ｂに搭載されている保護シート３２ａ、３２ｂには、保護シート３２ａ、３２ｂを使用状態とした際にテレビレンズ１の側面にくる位置に、各種イベントロゴや広告などの異なる表示内容４４ａ、４４ｂが設けられている。後は撮影するイベントや状況に応じて、保護シートユニット４３ａを外し、別に用意した保護シートユニット４３ｂに交換するだけで、レンズ側面部の表示内容を容易に変更することが可能となる。
【００６４】
なお、本実施例においては、保護シートの交換の際に、芯棒の一部が伸縮するような構造としたが、これは芯棒の受け側の方がスライドすることで、芯棒と受け側が嵌り込むようにするなど、芯棒を回転可能に固定することができれば、どのような方法でも構わない。
【００６５】
また、本実施例において、保護シートの交換は芯棒を含めて交換する方法を提示したが、これは、芯棒はレンズ本体に残して保護シートのみを交換するようにしても良い。その方法としては、例えば保護シートの根元部分にファスナー等の接続手段を設け、ここから保護シートを分離して別のシートに交換する方法などが提示できる。
【００６６】
［実施例４］
以下、図１１及び図１２を参照して、本発明の第４の実施例による、保護シートを、レンズ内部へ収納することを可能にしたテレビレンズについて説明する。
【００６７】
図１１は本実施例におけるテレビレンズ１において、保護シート５２を収納された巻き取り状態から伸ばした所を示す図であり、図１２は保護シート５２の使用状態を示す図である。
【００６８】
本実施例の特徴の１つは、レンズカバー５１と保護シート５２との間に設ける間隙を、保護シート５２に設けたスペーサー部材５３ａ、５３ｂ、５３ｃによって構成するところである。
【００６９】
保護シート５２には、使用する際にレンズカバー５１に巻き付けた際に内側になる側の面に、複数のスペーサー部材５３ａ、５３ｂ、５３ｃを設けている。また、保護シート５２の先端部には、使用時に保護シートを固定するための固定ピン５４が設けられている。
【００７０】
保護シート５２に設けられたスペーサー部材５３ａ、５３ｂ、５３ｃは、使用時にそれぞれレンズの上側隅部、及び側面下側の位置に来るようになっており、レンズカバー５１と保護シート５２との間の間隙を保つ役割をしている。なお、この際に、上側隅部に配置されるスペーサー５３ｂ、５３ｃの高さを異なるものとすることで、使用時に保護シート５２の上面に配置される部分は傾斜するようになっている。
【００７１】
また、このスペーサー部材５３ａ、５３ｂ、５３ｃ及び固定用ピン５４は、幾つかの纏まり毎に、光軸方向（図の座標系７におけるＸ軸方向）にずらして配置され、保護シート５２もこれに合わせて、巻き取り時の端部に階段形状をしている。このようにすることで、保護シート５２を芯棒１４に巻きつけるように収納する際に、スペーサー部材５３ａ、５３ｂ、５３ｃ及び固定ピン５４が重ならないようになっている。このようにすることで、保護シート５２の収納時に、巻き取り部が膨らまないように配慮されている。
【００７２】
保護シート５２を使用時には、保護シート５２に巻き付け、保護シート５２の先端に設けられた固定用ピン５４をレンズカバー５１に設けられた固定用穴５５に挿入することで、保護シート５２の固定を行うことが出来る。
【００７３】
このように、保護シート５２にスペーサー部材５３ａ、５３ｂ、５３ｃを設ける方法は、ガイド部材を設ける方法に比較して構成として容易な構造となる。さらに、保護シートの機能によって、スペーサー高さや、取り付け時の保護シートの形状を変化させることができる。これは例えば、雨よけとして使用する際には天井部分をより傾けるようにし、日よけとして用いる場合では、保護シートとカバーとの間隙を多めにとることでより内部の温度上昇をより抑制する、といった対応が可能となる。
【００７４】
以上、本発明の好ましい実施形態について説明したが、本発明はこれらの実施形態に限定されず、その要旨の範囲内で種々の変形及び変更が可能である。
【符号の説明】
【００７５】
１  テレビレンズ、２  マウント部、３  レンズ鏡筒、４  駆動部、５  タリー表示部、
６  インジケーター、７  座標系、８  フック、
９ａ，９ｂ，９ｃ，９ｄ  ガイド軸中継部材、
１０ｂ，１０ｃ，１０ｄ  ガイド軸回転軸、１１，２１，５１  レンズカバー、
１２，２２，３２，３２ａ，３２ｂ，５２  保護シート、
１３ａ，１３ｂ，１３ｃ，１３ｄ  ガイドバー、１４，３１  芯棒、
１５  芯棒付勢方向矢印、２２ａ，２２ｂ  保護シートの折り畳み部、
２３ａ，２２ｂ  のぞき窓、２４  レンズ本体部、
２５ａ，２５ｂ，２５ｃ，２５ｄ  延伸部材、２６  固定部、３３  溝、３４  コマ、
３５  コイルばね、３６  抜け止めピン、３８  ピン用溝、３９  連結軸、
４０  連結突起、４１  渦巻きバネ、４２  嵌合部、
４３ａ，４３ｂ  保護シートユニット、４４ａ，４４ｂ  表示部、
５３ａ，５３ｂ，５３ｃ  スペーサー部材、５４  固定用ピン、５５  固定用孔
【図１】
2017097133.tif 000003
【図２】
2017097133.tif 000004
【図３】
2017097133.tif 000005
【図４】
2017097133.tif 000006
【図５】
2017097133.tif 000007
【図６】
2017097133.tif 000008
【図７】
2017097133.tif 000009
【図８】
2017097133.tif 000010
【図９】
2017097133.tif 000011
【図１０】
2017097133.tif 000012
【図１１】
2017097133.tif 000013
【図１２】
2017097133.tif 000014